(57)【要約】【課題】情報記憶装置で発生する振動を確実に抑制する。【解決手段】ディスクアレイ筐体にＨＤＤを収脱自在に収納し、ディスクアレイ装置内に支持するための、そのＨＤＤが固定される活性枠２００に、ＨＤＤにバネ力を作用させる板バネ２０５を取り付けた。そして、その板バネ２０５のＨＤＤへのバネ力を調整する調整金具１１５を、この活性枠２００が収納されるディスクゲージ１１０の、その活性枠２００に隣接する側壁１１３に開けられた穴１１４に取り付けた。【選択図】        図５
2011081878.tif 000002
【特許請求の範囲】
【請求項１】
情報を記憶する情報記憶装置と、
該情報記憶装置の外周の一部との間に隙間が空くように前記情報記憶装置の周囲に配置される枠体と、
前記枠体に固定された情報記憶装置に力を作用させる、該枠体に取り付けられた制振部材と、
前記枠体が前記情報記憶装置ごと収納され、該枠体を介して該情報記憶装置を支持する筐体と、
前記制振部材の制振力を調整する調整機構とを備えたことを特徴とする情報記憶システム。
【請求項２】
前記調整機構が、前記筐体に設けられた、前記枠体が該筐体に収納されることで前記制振部材に機械的に作用して該制振部材の制振力を調整するものであることを特徴とする請求項１記載の情報記憶システム。
【請求項３】
前記筐体が、前記枠体が各々に収納される複数の収納箇所を有するものであり、
前記調整機構として、前記複数の収納箇所に収納される複数の枠体それぞれに設けられた各制振部材の制振力を個別に調整する複数の調整機構を備えたことを特徴とする請求項１又は２記載の情報記憶システム。
【請求項４】
前記筐体が、前記枠体が各々に収納される複数の収納箇所を有するものであり、
前記調整機構として、前記筐体の各収納箇所に設けられた、前記枠体が該収納箇所に収納されることで前記制振部材に機械的に作用して該制振部材の制振力を各収納箇所に応じた制振力に調整する複数の調整機構を備えたことを特徴とする請求項１から３のうちいずれか１項記載の情報記憶システム。
【請求項５】
情報を記憶する情報記憶装置を囲む、該情報記憶装置の外周の一部との間に隙間が空くように前記情報記憶装置の周囲に配置される枠体と、
前記枠体に固定された情報記憶装置に力を作用させる、該枠体に取り付けられた制振部材と、
前記枠体が前記情報記憶装置ごと収納され、該枠体を介して該情報記憶装置を支持する筐体と、
前記制振部材の制振力を調整する調整機構とを備えたことを特徴とする情報記憶装置搭載システム。
【発明の詳細な説明】
【技術分野】
【０００１】
本件は、情報記憶装置が搭載された情報記憶システム、および、情報記憶装置が搭載される情報記憶装置搭載システムに関する。
【背景技術】
【０００２】
近年、複数のハードディスク装置（ＨＤＤ：Ｈａｒｄ  Ｄｉｓｋ  Ｄｒｉｖｅ）が搭載されたディスクアレイ装置が普及しつつある。このディスクアレイ装置は、情報の記憶に複数のＨＤＤを使用し、いずれかのＨＤＤが故障しても情報の復旧を可能とすることで、情報記憶について信頼性の向上が図られた情報記憶システムである。
【０００３】
ここで、ＨＤＤでは、多くの場合、情報の書込みや読取りの際に、磁気ディスクを回転させる回転機構や、磁気ヘッドを情報の書込み位置や読取り位置に移動させる移動機構等といった内蔵の動作機構によって振動が発生する。このような振動は、そのまま放置されると書込みエラーや読取りエラーを誘発する危険がある。このため、ＨＤＤと、そのＨＤＤが搭載される筐体との間等には、ＨＤＤで発生した振動を低減させる緩衝部材が設けられることが多い（例えば、特許文献１〜３参照。）。
【０００４】
上記のようなディスクアレイ装置では、多くの場合、次のように筐体に搭載されることが多い。即ち、ＨＤＤは、所定の支持枠に固定される。そして、筐体にこの支持枠がＨＤＤごと収納され、筐体内でＨＤＤがこの支持枠を介して支持される。そして、多くの場合、このような支持枠と筐体との間に、バネ等の緩衝部材が設けられている。この緩衝部材は、各ＨＤＤで発生した振動を低減させるとともに、筐体を介してディスクアレイ装置内の他のＨＤＤ等から伝わってくる振動を低減させる役割も果たす。
【先行技術文献】
【特許文献】
【０００５】
【特許文献１】特開平１１−１４４４４８号公報
【特許文献２】特開２００２−３２９７９号公報
【特許文献３】特開２００５−１８８３５号公報
【発明の概要】
【発明が解決しようとする課題】
【０００６】
ここで、ディスクアレイ装置については、情報の書込みや読取りの更なる高速化が求められている。しかしながら、これらの処理の高速化は、設計上、搭載されているＨＤＤにおける磁気ディスクの回転速度の上昇や磁気ヘッドの移動の高速化を招来し、振動の増大を招くこととなる。
【０００７】
また、ディスクアレイ装置では、ＨＤＤが固定された支持枠が収納されるスロットが複数備えられている。そして、これら複数のスロットは、各スロットのディスクアレイ装置内での位置等に起因して、各スロット毎に、内部で振動が生じたときの共振点や外部からの振動の伝わり方等といった振動特性が異なっている。そのため、処理の高速化のためにＨＤＤでの磁気ディスクの回転速度の上昇や磁気ヘッドの移動の高速化が図られたディスクアレイ装置が製造された場合、各スロット毎の振動特性の差異が顕在化する恐れがある。そして、その振動特性の差異が顕在化すると、上記のような緩衝部材では、振動特性の異なる様々な振動を抑えきれなくなる恐れがある。
【０００８】
さらに、ディスクアレイ装置では、支持枠へのＨＤＤの固定は、後で別のＨＤＤへの交換が可能となるように単純なネジ止め等によって行われることが多い。このとき、ＨＤＤが、例えば磁気ディスクの回転速度が大きく異なる別機種のＨＤＤと交換されることがある。このような場合には、交換前と交換後とでは、振動特性が大きく変わり、上記のような緩衝部材で交換前には抑制できていた振動が、交換後には抑えきれなくなるといった事態が十分に起き得る。
【０００９】
尚、ここまでディスクアレイ装置を例に挙げて、情報の書込みや読取りの際に発生する、ディスクアレイ装置内部での振動の問題について説明した。しかしながら、このような問題は、振動によって動作不良が発生する恐れがある情報記憶装置を備えた情報記憶システムや、そのような情報記憶装置が搭載される情報記憶装置搭載システムであれば共通に生じ得る問題である。
【００１０】
本件は上記事情に鑑み、振動を確実に抑制することができる情報記憶システムおよび情報記憶装置搭載システムとを提供することを目的とするものである。
【課題を解決するための手段】
【００１１】
上記目的を達成する情報記憶システムの基本形態は、情報記憶装置と、枠体と、制振部材と、筐体と、調整機構とを備えている。
【００１２】
情報記憶装置は、情報を記憶するものである。
【００１３】
枠体は、上記情報記憶装置の外周の一部との間に隙間が空くように上記情報記憶装置の周囲に配置されるものである。
【００１４】
制振部材は、上記枠体に固定された情報記憶装置に力を作用させる、その枠体に取り付けられたものである。
【００１５】
筐体は、上記枠体が上記情報記憶装置ごと収納され、その枠体を介してその情報記憶装置を支持するものである。
【００１６】
調整機構は、上記制振部材の制振力を調整するものである。
【００１７】
また、上記目的を達成する情報記憶装置搭載システムの基本形態は、上記枠体と、上記制振部材と、上記筐体と、上記調整機構とを備えている。
【発明の効果】
【００１８】
本件によれば、振動を確実に抑制することができる。
【図面の簡単な説明】
【００１９】
【図１】基本形態について説明した情報記憶システムの具体的な実施形態であるディスクアレイ装置を示す斜視図である。
【図２】図１のディスクアレイ筐体から、ＨＤＤが固定された活性枠が１つ抜き出された状態を示す図である。
【図３】ＨＤＤが固定された活性枠の拡大斜視図である。
【図４】図３に斜視図で示された、ＨＤＤが固定された活性枠の四面図である。
【図５】１つのディスクゲージを示す斜視図である。
【図６】図５中の領域Ｅの拡大図である。
【図７】調整金具による板バネの腕の押圧について説明する説明図である。
【図８】ディスクアレイ装置に搭載されているＨＤＤの動作中に生じる振動の周波数特性を示すグラフである。
【図９】３段４列の１２個のスロットそれぞれについて、振動の確実な抑制に要するバネ力を示す模式図である。
【発明を実施するための形態】
【００２０】
以下、上記に基本形態について説明した情報記憶システムおよび情報記憶装置収納システムの具体的な実施形態について、図面を参照して説明する。
【００２１】
図１は、基本形態について説明した情報記憶システムの具体的な実施形態であるディスクアレイ装置を示す斜視図である。
【００２２】
この図１には、１２個のＨＤＤが収納されるディスクアレイ装置１０が示されている。また、この図１では、ディスクアレイ装置１０は、フロントパネル１０１が外された状態で示されている。
【００２３】
ここで、このディスクアレイ装置１０では、ＨＤＤは、そのＨＤＤを囲む、そのＨＤＤの外周の一部との間には隙間が空く活性枠２００に固定される。そして、この活性枠２００がＨＤＤごと、ディスクアレイ筐体１００に収納される。本実施形態では、このディスクアレイ筐体１００と活性枠２００とを合わせたものが、基本形態について説明した情報記憶装置搭載システムの具体的な実施形態に相当する。
【００２４】
図１では、活性枠２００の構造部品であって、この活性枠２００をディスクアレイ筐体１００に対して収脱する際の手掛りとなるハンドル２０１が見えている。また、このハンドル２０１は、ＨＤＤの動作によって発生した熱を逃がすための放熱部を兼ねている。そして、ディスクアレイ筐体１００は、上記の活性枠２００が、縦３段で横４列に配列された１２箇所のスロットに１個ずつ収納されるように構成されている。
【００２５】
図２は、図１のディスクアレイ筐体から、ＨＤＤが固定された活性枠が１つ抜き出された状態を示す図である。
【００２６】
この図２に示すように、ディスクアレイ筐体１００から活性枠２００を抜き出すに当たっては、まず、ハンドル２０１が、図中の矢印Ａが示す方向に回動されて、ディスクアレイ装置１０のフロント側に起こされる。そして、このハンドル２０１が、図中の矢印Ｂが示す方向に引かれることで、活性枠２００がディスクアレイ筐体１００から抜き出される。また、活性枠２００をディスクアレイ筐体１００に収める際には、上述した抜き出す際の操作手順と逆の手順の操作が行われることとなる。
【００２７】
ＨＤＤ３００は、この活性枠２００に固定される。そして、活性枠２００に対する上記のような収脱操作により、ＨＤＤ３００が、ディスクアレイ筐体１００に収脱されることとなる。本実施形態では、ＨＤＤ３００が、上述の基本形態における情報記憶装置の一例に相当する。
【００２８】
図３は、ＨＤＤが固定された活性枠の拡大斜視図である。また、図４は、図３に斜視図で示された、ＨＤＤが固定された活性枠の四面図である。
【００２９】
図４のパート（Ａ）には、ＨＤＤ３００が固定された活性枠２００の上面図が示されている。また、図４のパート（Ｂ）には、その活性枠２００のフロント側から見た正面図が示されている。また、図４のパート（Ｃ）には、その活性枠２００のフロント側から見て右側の側面図が示されている。そして、また、図４のパート（Ｄ）には、その活性枠２００のフロント側から見て左側の側面図が示されている。
【００３０】
以下、ＨＤＤ３００が固定された活性枠２００について、図３および図４を参照して説明する。
【００３１】
活性枠２００は、矩形状を有するＨＤＤ３００を、このＨＤＤ３００のフロント側、底面側、左右の側面側から囲む金属製の枠である。そして、フロント側の壁２０２に上記のハンドル２０１が取付けられている。
【００３２】
ＨＤＤ３００は、この活性枠２００に、フロント側の壁２０２と、そのＨＤＤ３００の外周との間に隙間を開けて固定される。この固定は、活性枠２００の左右の側壁２０３とＨＤＤ３００とをネジ２０４で共締めすることで行われている。
【００３３】
さらに、活性枠２００には、長尺の板バネ２０５が、活性枠２００の左右の側壁２０３それぞれに両端それぞれが後述するように固定されることで取付けられている。さらに、この板バネ２０５は撓められ、その撓みの凸部がＨＤＤ３００のフロント側の側面に押し付けられている。このＨＤＤ３００への凸部の押し付けにより、板バネ２０５は、活性枠２００に固定されたＨＤＤ３００にバネ力を作用することとなっている。
【００３４】
本実施形態では、、活性枠２００のうち、上記の板バネ２０５を除いた部分が、上述の基本形態における枠体の一例に相当する。そして、その板バネ２０５が、上述の基本形態における制振部材の一例に相当する。また、その板バネ２０５がＨＤＤ３００に作用するバネ力が、上述の基本形態における制振力の一例に相当する。
【００３５】
活性枠２００の側壁２０３には、フロント側の端部に、図３や、図４のパート（Ｃ）やパート（Ｄ）の側面図における上下それぞれに突出した２つの突起２０３ａが設けられている。そして、板バネ２０５の端から活性枠２００の側壁２０３を上下に挟むように延びる２本の腕２０５ａが、各々上記の２つの突起２０３ａに引っ掛けられている。即ち、側壁２０３の上側に延びる腕２０５ａは、側壁２０３の上側の突起２０３ａに引っ掛けられ、下側に延びる腕２０５ａは、側壁２０３の下側の突起２０３ａに引っ掛けられている。このような腕２０５ａの突起２０３ａへの引っ掛けにより板バネ２０５の端部が活性枠２００に固定されている。そして、このような端部の固定が、板バネ２０５の両端について行われている。
【００３６】
上述したように、この板バネ２０５は、撓みの凸部がＨＤＤ３００のフロント側の側面に接している。これにより、この板バネ２０５は、図中の矢印Ｃが示すようにＨＤＤ３００にバネ力を作用させている。さらに、そのＨＤＤ３００へのバネ力の作用に対する反作用で、活性枠２００のフロント側の壁２０２にもバネ力を作用させることとなっている。そして、この板バネ２０５は、このようなバネ力の作用により、ＨＤＤ３００の動作時に発生する振動や、他のＨＤＤ３００から伝わって来る振動等を抑制する緩衝部材として機能する。
【００３７】
また、図４のパート（Ａ）およびパート（Ｄ）に示すように、活性枠２００の、フロント側から見て左側の側壁２０３には、図中の矢印Ｄが示す方向にバネ力を発する側面バネ２０６が２箇所に取付けられている。これら２つの側面バネ２０６は、この活性枠２００が、ディスクアレイ筐体１００に収納されたときに、そのディスクアレイ筐体１００内で、上記の左側の側壁２０３に隣接する壁を付勢する。
【００３８】
次に、この活性枠２００が収納されるディスクアレイ筐体１００について説明する。
【００３９】
このディスクアレイ筐体１００内には、活性枠２００を縦３段に収納する後述のディスクゲージが、横方向に４つ並べられて取り付けられている。それら４つのディスクゲージにより、図１や図２に示すように縦３段で横４列に配列された１２箇所のスロットが構成されている。
【００４０】
図５は、１つのディスクゲージを示す斜視図である。
【００４１】
この図５に示すように、ディスクゲージ１１０には、各々活性枠２００が収納される３つのスロット１１１が設けられている。各スロット１１１には、収納される活性枠２００を上下に挟む位置にレール１１２が形成されている。活性枠２００は、このレール１１２に沿ってスロット１１１に収納され、このレール１１２によってこのスロット１１１内に支持される。
【００４２】
スロット１１１に収納された状態では、活性枠２００において、図４の左側の側壁２０３に設けられている２つの側面バネ２０６が、活性枠２００を左右から挟む２つの側壁１１３のうちフロント側から見て左側の側壁１１３を付勢する。これにより、活性枠２００は、スロット１１１内で、反対側の右側の側壁１１３に押し付けられる。活性枠２００の左側の側壁２０３の２つの側面バネ２０６は、この押し付けにより、スロット１１１内での活性枠２００の安定的な支持に貢献する。さらに、これら２つの側面バネ２０６は、活性枠２００内の上記の板バネ２０５とともに、ＨＤＤ３００の動作時に発生する振動や、ディスクゲージ１１０を介して伝わってくる他のＨＤＤ３００からの振動等を抑制する緩衝部材としても機能する。
【００４３】
ここで、本実施形態では、このディスクゲージ１１０に、各スロット１１１に収納されている活性枠２００の板バネ２０５のバネ力を調整する調整機構が設けられている。
【００４４】
この調整機構は、複数の穴１１４が開けられたディスクゲージ１１０の側壁１１３と、その側壁１１３の穴１１４に取りつけられた調整金具１１５とで構成される。
【００４５】
本実施形態では、ディスクアレイ筐体１００のうち、複数の穴１１４が設けられたディスクゲージ１１０の側壁１１３と調整金具１１５とで構成された調整機構を除いた部分が、上述の基本形態における筐体の一例に相当する。そして、それらの側壁１１３と調整金具１１５とで構成された調整機構が、上述の基本形態における調整機構の一例に相当する。
【００４６】
上記の複数の穴１１４は、ディスクゲージ１１０の側壁１１３の、スロット１１１内の活性枠２００の板バネ２０５から延びる図３や図４に示す両端の腕２０５ａと隣接する位置に、その腕２０５ａに沿って並ぶように開けられる。板バネ２０５の腕２０５ａは、上述したように両端それぞれについて２本ずつ合計４本延びている。そして、本実施形態では、図５に示すように、上記の穴１１４は、各腕２０５ａについて４個ずつ開けられている。即ち、ディスクゲージ１１０の側壁には、４個を１組とした穴１１４が、各スロット１１１毎に、左右２組ずつ合計４組設けられている。
【００４７】
そして、調整金具１１５が、各組に１個ずつ、以下に説明するように取付けられている。
【００４８】
図６は、図５中の領域Ｅの拡大図である。
【００４９】
この図６には、最上段のスロット１１１の左側の側壁１１３に開けられた２組の穴１１４のうち下段側の組の穴１１４に取りつけられた１個の調整金具１１５が拡大されて示されている。
【００５０】
この調整金具１１５は、長尺の金属板が矩形状に折り曲げられて作られた金具である。そして、この図６に示すように、調整金具１１５は、ディスクゲージ１１０の内側に向かって突出するように、互いに隣り合う２つの穴１１４の間の壁を跨いで取付けられる。その結果、この調整金具１１５は、活性枠２００がスロット１１１に収納されたときに、４個の穴１１４に隣接して延びる上記の板バネ２０５の腕２０５ａを押圧する。
【００５１】
以下、この調整金具１１５による板バネ２０５の腕２０５ａの押圧について説明する。
【００５２】
図７は、調整金具による板バネの腕の押圧について説明する説明図である。
【００５３】
この図７には、図５に示す活性枠２００の一部と、ディスクゲージ１１０の右側の側壁１１３についての図５中の切断線Ｆ−Ｆに沿った断面図とが示されている。
【００５４】
図５中の切断線Ｆ−Ｆは、中段のスロット１１１の右側の側壁１１３に開けられた２組の穴１１４のうち上段側の組の穴１１４の並びに沿った切断線である。そして、この上段側の組の穴１１４に上記のように取りつけられた調整金具１１５は、板バネ２０５の右側の端部から延びる２本の腕２０５ａのうちの上側の腕２０５ａを活性枠２００の内側に向かって押圧する。この押圧によって、板バネ２０５には、ＨＤＤ３００側にこの板バネ２０５を更に撓めようとする力が加えられる。そして、その力によって、活性枠２００のフロント側の壁２０２とＨＤＤ３００との双方をこの板バネ２０５が付勢するときのバネ力が、スロット１１１への活性枠２００の収納前のバネ力よりも強められる。また、本実施形態では、板バネ２０５の両端から延びる４本の腕２０５ａそれぞれが調整金具１１５によって押圧される。従って、板バネ２０５には、更に撓めようとする力が、これらの腕２０５ａ４本分加えられることとなる。そして、板バネ２０５のバネ力は、これらの力の合計によって強められる。
【００５５】
このように、本実施形態では、各活性枠２００内部に振動を抑制する板バネ２０５が備えられ、その活性枠２００が収納されるディスクゲージ１１０に、その板バネ２０５のバネ力を調整する上記の調整機構が備えられている。これにより、本実施形態では、後述するように、調整機構による調整の程度を、各スロット１１１での振動特性に応じた程度にすることが可能となっている。また、活性枠２００に固定されるＨＤＤ３００が別機種のＨＤＤに交換されるような場合にも、調整機構による調整の程度を、交換後の振動特性に応じた程度に変更することが可能となっている。延いては、ＨＤＤ３００の動作によるディスクアレイ装置１０内部の振動が、振動特性に応じて適切に抑制される。即ち、本実施形態のディスクアレイ装置１０によれば、振動を確実に抑制することができる。
【００５６】
ここで、本実施形態では、板バネ２０５がバネ力を作用させているＨＤＤ３００が、磁気ディスクの回転機構や磁気ヘッドを移動する移動機構等といった動作機構を内蔵している。そして、このようなＨＤＤ３００内蔵の動作機構が振動源となっている。本実施形態では、上記の板バネ２０５が直にＨＤＤ３００押し付けられることで、上記の振動源の動作に起因する振動が効率的に抑制されることとなっている。
【００５７】
このことは、上述の基本形態に対し、上記情報記憶装置が、情報の記録及び又は再生を、機械動作を伴って実行する動作機構を内蔵したものであるという応用形態が好適であることを意味している。
【００５８】
本実施形態では、ＨＤＤ３００は、この応用形態における情報記憶装置の一例にも相当している。
【００５９】
また、本実施形態では、板バネ２０５は、活性枠２００のフロント側の壁２０２とＨＤＤ３００の外周との間の隙間に配置されている。その結果、板バネ２０５は、ＨＤＤ３００の外周のうち上記の隙間の部分にバネ力を作用させている。これにより、活性枠２００内でＨＤＤ３００が最も振動し易い箇所にバネ力が作用されるので、ＨＤＤ３００内での振動源の動作に起因する振動が効果的に抑制されることとなっている。
【００６０】
このことは、上述の基本形態に対し、上記制振部材が、上記情報記憶装置の外周のうち上記隙間の部分に力を作用させるものであるという応用形態が好適であることを意味している。
【００６１】
本実施形態では、板バネ２０５は、この応用形態における制振部材の一例にも相当している。
【００６２】
また、本実施形態では、調整機構による調整の程度を適切に合わせ込んでおけば、後は、活性枠２００をスロット１１１に収納したときに板バネ２０５のバネ力が適切な強さに自動的に調整される。さらに、この構造によれば、バネ力の調整が、上記のディスクゲージ１１０側で行われるので、活性枠２００については、全てのスロット１１１で共通の構造としてコストの削減を図ることができる。
【００６３】
このことは、上述の基本形態に対し、上記調整機構が、上記筐体に設けられた、上記枠体がその筐体に収納されることで上記制振部材に機械的に作用してその制振部材の制振力を調整するものであるという応用形態が好適であることを意味している。
【００６４】
本実施形態では、上記の側壁１１３と調整金具１１５とで構成された調整機構は、この応用形態における調整機構の一例にも相当している。
【００６５】
また、本実施形態では、バネ力が調整されるバネとして板バネ２０５が採用され、上記のように、その板バネ２０５の腕２０５ａを調整金具１１５で押圧するという簡単な手法でバネ力の調整が実現されている。
【００６６】
このことは、上述の基本形態に対し、以下に説明する応用形態が好適であることを意味している。この応用形態では、上記制振部材が、長尺で、撓められた、両端が上記枠体に固定された、その撓みの凸部が上記情報記憶装置に押し付けられたバネとなっている。また、この応用形態では、上記調整機構が、上記バネの、上記枠体に固定された部分と上記情報記憶装置に押し付けられた部分との間の部分を押すことでそのバネのバネ力を調整するものとなっている。
【００６７】
本実施形態では、板バネ２０５は、この応用形態における制振部材の一例にも相当している。また、本実施形態では、上記の側壁１１３と調整金具１１５とで構成された調整機構は、この応用形態における調整機構の一例にも相当している。
【００６８】
以下、本実施形態のディスクアレイ装置１０において、各スロット１１１内のＨＤＤ３００での振動特性に応じた程度に調整の程度を合わせ込む方法について具体的に説明する。
【００６９】
上述したように、調整金具１１５は、互いに隣り合う２つの穴１１４の間の壁を跨いで取付けられる。そして、本実施形態では、調整金具１１５の取り付けが着脱自在に行われる。従って、１本の腕２０５ａに沿って並ぶ４つの穴１１４のうちどの２つの穴１１４が取付けに使われるかによって、調整金具１１５は、腕２０５ａに対する相対位置が互いに異なる３箇所のうちのいずれかの箇所に取付けられることとなる。また、本実施形態では、上述したように、１つのスロット１１１について調整金具１１５が４つ用意される。そして、これら４つの調整金具１１５は、上記の３箇所の取付け位置のうちの同じ取り付け位置に取り付けられる。
【００７０】
図７には、この調整金具１１５の３箇所の取付け位置が模式的に示されている。
【００７１】
上述したように板バネ２０５の腕２０５ａは、活性枠２００の側壁２０３の突起２０３ａに引っ掛けられている。上記の３箇所の取付け位置は、この突起２０３ａからＨＤＤ３００に向かう方向の距離が互いに異なっている。これら３箇所の取付け位置それぞれに取り付けられた調整金具１１５は、図中に矢印Ｅで示したように、突起２０３ａから板バネ２０５の撓みの凸部に向かう方向の距離が互いに異なる３つの押圧箇所のうちのいずれかを押圧する。
【００７２】
ここで、押圧箇所が突起２０３ａに近いほど、押圧されたときに板バネ２０５の腕２０５ａが動き難い。そして、この腕２０５ａの動きが少ないほど、上記のように板バネ２０５のＨＤＤ３００へのバネ力を強める作用が弱い。従って、上記の３箇所の取付け位置のうち、突起２０３ａに最も近い位置に取り付けられた調整金具１１５は、このバネ力を強める作用が最も弱い。また、真ん中の取付け位置に取り付けられた調整金具１１５は、バネ力を強める作用が中程度であり、突起２０３ａから最も遠い位置に取り付けられた調整金具１１５は、このバネ力を強める作用が最も強い。
【００７３】
つまり、本実施形態では、着脱自在に取り付けられる調整金具１１５の取付け位置を、上記の３箇所の取付け位置の中から適宜に選択することで、板バネ２０５のバネ力に対する調整の程度を簡単に変更することができる。
【００７４】
このことは、上記制振部材が、長尺で、撓められたバネであるという上述の応用形態に対し、以下に説明する応用形態がさらに好適であることを意味している。この応用形態では、上記調整機構が、上記バネに押し当たる押し当て部材と、その押し当て部材が着脱自在に取り付けられてその押し当て部材を保持する、複数の取付箇所を有した保持具とを備えたものとなっている。
【００７５】
本実施形態では、上記の側壁１１３と調整金具１１５とで構成された調整機構は、この応用形態における調整機構の一例にも相当している。また、調整金具１１が、この応用形態における押し当て部材の一例に相当する。また、上記の側壁１１３が、この応用形態における保持具の一例に相当する。そして、その側壁１１３に開けられた上記の複数の穴１１４が、この応用形態における複数の取付け箇所の一例に相当する。
【００７６】
次に、この調整金具１１５によって、上記の板バネ２０５のＨＤＤ３００へのバネ力をどの程度の大きさに調整するかについて説明する。
【００７７】
図８は、ディスクアレイ装置に収納されているＨＤＤの動作中に生じる振動の周波数特性を示すグラフである。
【００７８】
この図８のグラフＧ１には、ディスクアレイ装置１０に収納されている１２個のＨＤＤ３００が一斉に動作したときに、任意の１つのＨＤＤ３００の外面上で観測された振動の周波数特性が示されている。このグラフＧ１では、横軸に周波数がとられ、縦軸に規格化された振動強度がとられている。
【００７９】
まず、このグラフＧ１には、観測対象のＨＤＤ３００を、上記の板バネ２０５を外した活性枠２００に固定したときの振動の周波数特性を太めの実線で示す第１ラインＬ１が記載されている。ここで、この第１ラインＬ１の周波数特性の取得時には、観測対象のＨＤＤ３００以外の他の１１個のＨＤＤ３００も、板バネ２０５無しの活性枠２００に固定されている。この第１ラインＬ１の形状から分かるように、板バネ２０５が無い場合には、約１２００Ｈｚという高周波側と、２００Ｈｚ前後という低周波側とに振動のピークが表れている。
【００８０】
次に、このグラフＧ１には、ＨＤＤ３００に対して、互いに異なる２種類のバネ力を発揮する２つの板バネ２０５についてのダンパ特性が記載されている。
【００８１】
このグラフＧ１には、まず、相対的にバネ力が強い板バネ２０５についてのダンパ特性を太めの点線で示す第２ラインＬ２が記載されている。さらに、グラフＧ１には、相対的にバネ力が弱い板バネ２０５についてのダンパ特性を一点鎖線で示す第３ラインＬ３が記載されている。これら２つのラインＬ２，Ｌ３から分かるように、２つの板バネ２０５双方共に、板バネ２０５が無い場合の上記の高周波側の振動のピークに対して十分な減衰効果を有している。ただし、その減衰効果の程度は、共振点を低周波側に持つバネ力が弱い板バネ２０５の方が高い（第３ラインＬ３参照）。一方、２００Ｈｚ以下の低周波側の振動のピークに対しては、共振点を高周波側に持つバネ力が強い板バネ２０５の方が、減衰効果が高いことが分かる（第２ラインＬ２参照）。
【００８２】
また、このグラフＧ１には、観測対象のＨＤＤ３００を、バネ力が相対的に強い板バネ２０５が取り付けられた活性枠２００に固定したときの振動の周波数特性を細めの実線で示す第４ラインＬ４が記載されている。さらに、このグラフＧ１には、観測対象のＨＤＤ３００を、バネ力が相対的に弱い板バネ２０５が取り付けられた活性枠２００に固定したときの振動の周波数特性を細めの点線で示す第５ラインＬ５も記載されている。これら２つのラインＬ４，Ｌ４から分かるように、上記の２つの場合双方共に、板バネ２０５のダンパ特性により上記の高周波側の振動のピークが十分に抑えられている。一方、２００Ｈｚ以下の低周波側の振動のピークについては、バネ力が強い板バネ２０５を用いた場合の方が十分に抑えられている（第４ラインＬ４参照）。
【００８３】
以上、説明したように、活性枠２００に取り付けられた板バネ２０５のバネ力をどのような大きさに調整するかは、板バネ２０５が無い場合の振動特性における高周波側と低周波側とのピークの出現具合に依る。図８の例のように、低周波側に大きな振動のピークがあり、この低周波側のピークを大きく抑える必要があるときには、高周波側での減衰効果を多少犠牲にしても板バネ２０５のバネ力を強めに調整することが望ましい。一方、低周波側の振動のピークがそれほど大きくない場合には、高周波側のピークに着目して板バネ２０５のバネ力を弱めに調整することが望ましい。また、低周波側と高周波側とでバランス良くピークを抑える必要があるときには、板バネ２０５のバネ力を中程度に調整することが望ましい。
【００８４】
本実施形態では、低周波側のピークを大きく抑えるのに要する強めのバネ力が、図７に示す突起２０３ａから最も遠い位置に取り付けられた調整金具１１５による調整で得られる。また、高周波側のピークを大きく抑えるのに要する弱めのバネ力が、図７に示す突起２０３ａに最も近い位置に取り付けられた調整金具１１５による調整で得られる。さらに、低周波側と高周波側とでバランス良くピークを抑えるのに要する中程度のバネ力が、図７に示す真ん中の取付け位置に取り付けられた調整金具１１５による調整で得られる。
【００８５】
ここで、本実施形態のディスクアレイ装置１０には、上述したように３段４列に１２個のスロット１１１が備えられている。そして、厳密には、各スロット１１１毎に、このディスクアレイ装置１０の中における振動特性が異なっている。また、１２個のスロット１１１それぞれ毎に、他の１１個のＨＤＤ３００から受ける振動も厳密には異なっている。
【００８６】
本実施形態では、これら１２個のスロット１１１それぞれについて、振動を確実に抑制するのに要するバネ力が、上記の３種類の強さのバネ力の中から、各スロット１１１での振動特性に応じて選ばれている。
【００８７】
図９は、３段４列の１２個のスロットそれぞれについて、振動の確実な抑制に要するバネ力を示す模式図である。
【００８８】
この図９では、例えば、１段１列のスロット１１１については、必要とする板バネ２０５のバネ力が弱めとなっている。また、１段２列のスロット１１１については、必要とする板バネ２０５のバネ力が中程度であり、３段２列のスロット１１１については、必要とする板バネ２０５のバネ力が強めとなっている。
【００８９】
ここで、本実施形態では、各スロット１１１内の活性枠２００の板バネ２０５のバネ力が、各スロット１１１毎に取り付けられている調整金具１１５によって個別に調整される。これにより、例えばＨＤＤ３００の交換等により、一部の活性枠２００についてのみバネ力を調整する必要がある場合に、調整対象のバネ力だけを調整し直すといった効率的な作業が可能となっている。
【００９０】
このことは、上述の基本形態に対し、以下に説明する応用形態が好適であることを示している。この応用形態では、上記筐体が、上記枠体が各々に収納される複数の収納箇所を有するものとなっている。そして、この応用形態は、上記調整機構として、上記複数の収納箇所に収納される複数の枠体それぞれに設けられた各制振部材の制振力を個別に調整する複数の調整機構を備えている。
【００９１】
本実施形態では、ディスクアレイ筐体１００のうち、複数の穴１１４が設けられたディスクゲージ１１０の側壁１１３と調整金具１１５とで構成された調整機構を除いた部分は、この応用形態における筐体の一例にも相当している。また、本実施形態では、上記の側壁１１３と調整金具１１５とで構成された調整機構は、この応用形態における調整機構の一例にも相当している。
【００９２】
また、本実施形態では、各スロット１１１における上記の調整金具１１５の取付け位置が、これらのバネ力に応じた取付け位置となっている。これにより、各スロット１１１に収納されたＨＤＤ３００での振動が適切に抑制されることとなる。
【００９３】
このことは、上述の基本形態に対し、以下に説明する応用形態が好適であることを示している。この応用形態では、上記筐体が、上記枠体が各々に収納される複数の収納箇所を有するものとなっている。そして、この応用形態は、上記調整機構として、上記筐体の各収納箇所に設けられた、次のような複数の調整機構を備えている。各調整機構は、上記枠体がその収納箇所に収納されることで上記制振部材に機械的に作用してその制振部材の制振力を各収納箇所に応じた制振力に調整するものである。
【００９４】
本実施形態では、ディスクアレイ筐体１００のうち、複数の穴１１４が設けられたディスクゲージ１１０の側壁１１３と調整金具１１５とで構成された調整機構を除いた部分は、この応用形態における筐体の一例にも相当している。また、本実施形態では、上記の側壁１１３と調整金具１１５とで構成された調整機構は、この応用形態における調整機構の一例にも相当している。
【００９５】
尚、上記では、基本形態について上述した情報記憶システムの具体的な実施形態としてディスクアレイ装置１０を例示したが、基本形態について上述した情報記憶システムはこれに限るものではない。この基本形態は、ＨＤＤのように振動によって動作不良が発生する恐れがある情報記憶装置を備えた情報記憶装置に共通に適用できる。
【００９６】
また、上記では、基本形態について上述した情報記憶システムの具体的な実施形態として、３段４列に１２個のＨＤＤ３００が収納されるディスクアレイ装置１０を例示したが、基本形態について上述した情報記憶システムはこれに限るものではない。基本形態について上述した情報記憶システムは、１２個以外の個数のＨＤＤが、上記の配列以外の配列で収納されるものであっても良い。
【００９７】
また、上記では、上述の基本形態における調整機構の一例として、板バネ２０５のバネ力を３段階に調整する調整機構を例示したが、基本形態における調整機構はこれに限るものではない。基本形態における調整機構は、バネ力を３段階以外の段数や、あるいは、段階的ではなく連続的に調整するものであっても良い。
【００９８】
また、上記では、上述の基本形態における調整機構の一例として、板バネ２０５のバネ力をディスクゲージ１１０に取り付けられた調整金具１１５で調整する調整機構を例示したが、基本形態における調整機構はこれに限るものではない。基本形態における調整機構は、例えば活性枠の内側に取り付けられた機構によりバネのバネ力を調整するもの等であっても良い。
【００９９】
また、上記では、上述の基本形態における制振部材の一例として、板バネ２０５を例示したが、基本形態における制振部材はこれに限るものではなく、例えばコイルバネ等といった板バネ以外のバネであっても良い。
【０１００】
以下、上述した基本形態を含む種々の形態に関し、更に以下の付記を開示する。
【０１０１】
（付記１）
情報を記憶する情報記憶装置と、
該情報記憶装置の外周の一部との間に隙間が空くように前記情報記憶装置の周囲に配置される枠体と、
前記枠体に固定された情報記憶装置に力を作用させる、該枠体に取り付けられた制振部材と、
前記枠体が前記情報記憶装置ごと収納され、該枠体を介して該情報記憶装置を支持する筐体と、
前記制振部材の制振力を調整する調整機構とを備えたことを特徴とする情報記憶システム。
【０１０２】
（付記２）
前記情報記憶装置が、情報の記録及び又は再生を、機械動作を伴って実行する動作機構を内蔵したものであることを特徴とする付記１記載の情報記憶システム。
【０１０３】
（付記３）
前記制振部材が、前記情報記憶装置の外周のうち前記隙間の部分に力を作用させるものであることを特徴とする付記１又は２記載の情報記憶システム。
【０１０４】
（付記４）
前記調整機構が、前記筐体に設けられた、前記枠体が該筐体に収納されることで前記制振部材に機械的に作用して該制振部材の制振力を調整するものであることを特徴とする付記１から３のうちいずれか１項記載の情報記憶システム。
【０１０５】
（付記５）
前記筐体が、前記枠体が各々に収納される複数の収納箇所を有するものであり、
前記調整機構として、前記複数の収納箇所に収納される複数の枠体それぞれに設けられた各制振部材の制振力を個別に調整する複数の調整機構を備えたことを特徴とする付記１から４のうちいずれか１項記載の情報記憶システム。
【０１０６】
（付記６）
前記筐体が、前記枠体が各々に収納される複数の収納箇所を有するものであり、
前記調整機構として、前記筐体の各収納箇所に設けられた、前記枠体が該収納箇所に収納されることで前記制振部材に機械的に作用して該制振部材の制振力を各収納箇所に応じた制振力に調整する複数の調整機構を備えたことを特徴とする付記１から５のうちいずれか１項記載の情報記憶システム。
【０１０７】
（付記７）
前記制振部材が、長尺で、撓められた、両端が前記枠体に固定された、その撓みの凸部が前記情報記憶装置に押し付けられたバネであり、
前記調整機構が、前記バネの、前記枠体に固定された部分と前記情報記憶装置に押し付けられた部分との間の部分を押すことで該バネのバネ力を調整するものであることを特徴とする付記１から６のうちいずれか１項記載の情報記憶システム。
【０１０８】
（付記８）
前記調整機構が、前記バネに押し当たる押し当て部材と、該押し当て部材が着脱自在に取り付けられて該押し当て部材を保持する、複数の取付箇所を有した保持具とを備えたものであることを特徴とする付記７記載の情報記憶システム。
【０１０９】
（付記９）
情報を記憶する情報記憶装置を囲む、該情報記憶装置の外周の一部との間に隙間が空くように前記情報記憶装置の周囲に配置される枠体と、
前記枠体に固定された情報記憶装置に力を作用させる、該枠体に取り付けられた制振部材と、
前記枠体が前記情報記憶装置ごと収納され、該枠体を介して該情報記憶装置を支持する筐体と、
前記制振部材の制振力を調整する調整機構とを備えたことを特徴とする情報記憶装置搭載システム。
【符号の説明】
【０１１０】
１０    ディスクアレイ装置
１００    ディスクアレイ筐体
１０１    フロントパネル
１１０    ディスクゲージ
１１１    スロット
１１２    レール
１１３    穴
１１４    調整金具
２００    活性枠
２０１    ハンドル
２０２    フロント側の壁
２０３    側壁
２０３ａ    突起
２０４    ネジ
２０５    板バネ
２０５ａ    腕
２０６    側面バネ
３００    ＨＤＤ
【図１】
2011081878.tif 000003
【図２】
2011081878.tif 000004
【図３】
2011081878.tif 000005
【図４】
2011081878.tif 000006
【図５】
2011081878.tif 000007
【図６】
2011081878.tif 000008
【図７】
2011081878.tif 000009
【図８】
2011081878.tif 000010
【図９】
2011081878.tif 000011